(57)【特許請求の範囲】
【請求項１】
開口枠（１）に固定されるベース（４）と、ベース（４）で往復スライド自在に支持される操作具（８）と、操作具（８）で往復スライド操作される牽制アーム（６）と、牽制アーム（６）を内外方向へ揺動自在に軸支する支軸（５）と、窓（２）の周面に固定した掛止ピン（７）とを備えており、
牽制アーム（６）の板面には、窓（２）を閉じた状態において掛止ピン（７）の進入を許す凹部（１５）が折り曲げ形成され、凹部（１５）に臨む段壁（１６）から牽制アーム（６）の揺動先端寄りにわたって、掛止ピン（７）と係合する連繋溝（１７）が通設されており、
操作具（８）は、全開位置と換気位置との間で往復スライドでき、
全開位置から換気位置への操作具（８）のスライド変位に連動して、牽制アーム（６）の連繋溝（１７）が掛止ピン（７）と係合できるよう構成してあり、
牽制アーム（６）の一端寄りに、ベース（４）に固定した支軸（５）でスライド案内されるスライド溝（１３）が通設されており、
操作具（８）と牽制アーム（６）とは、これら両者（６・８）のいずれか一方に固定した係合ピン（２４）と、他方に設けられて係合ピン（２４）に対して相対揺動可能に係合する逃げ溝（２３）とを介して、同行スライド可能に連結してある窓換気用のステー。
【請求項２】
牽制アーム（６）の連繋溝（１７）の奥端近傍に、弾性変形可能な係合爪（３７）を備えたロック体（３５）が設けられており、
窓（２）を換気位置へ開放した状態において、掛止ピン（７）がロック体（３５）で係合捕捉できる請求項１記載の窓換気用のステー。
【請求項３】
牽制アーム（６）とベース（４）との間に、牽制アーム（６）を支軸（５）の軸端受壁（３２）に向って押し付け付勢するばね（２７）が、支軸（５）に外嵌する状態で配置されており、
軸端受壁（３２）と摺接するスライド溝（１３）の両端周縁壁に、第１接当面（３３）と、第１接当面（３３）よりベース（４）側へ凹む第２接当面（３４）とが設けられており、
操作具（８）を全開位置に切り換えた状態において、第２接当面（３４）が軸端受壁（３２）と接当して、牽制アーム（６）が開口枠（１）の側へ接近する向きに傾動できる請求項１又は２記載の窓換気用のステー。
【請求項４】
スライド溝（１３）の一端に、スライド溝（１３）の溝幅より大径の揺動穴（１４）が設けられており、
支軸（５）のガイド軸部に、スライド溝（１３）に係合して牽制アーム（６）を往復スライドのみ可能に案内する平坦なガイド面（３０）と、揺動穴（１４）に対して相対回動できる部分円弧状の揺動軸面（３１）とが設けられており、
牽制アーム（６）を操作具（８）で換気位置へスライド操作した状態においてのみ、牽制アーム（６）が支軸（５）を中心にして内外揺動できる請求項１又は２又は３記載の窓換気用のステー。
【請求項５】
ベース（４）に操作具（８）をスライド案内するガイド溝（１０）が設けられており、
操作具（８）が、ガイド溝（１０）で係合案内されるスライダー（１９）と、スライダー（１９）に固定した操作板（２０）と、操作板（２０）の室内側の端部に固定したノブ（２１）とで構成されており、
牽制アーム（６）と対向する操作板（２０）の板面に、逃げ溝（２３）が形成してある請求項１又は２又は３又は４記載の窓換気用のステー。  
【発明の詳細な説明】
【０００１】
【発明の属する技術分野】
本発明は、開口枠に軸支した牽制アームで窓を換気位置において開き規制でき、必要時には牽制アームによる開放規制作用を解除して、窓を閉じ状態から全開位置へ直接開き操作できる窓換気用のステーに関する。
【０００２】
【従来の技術】
この種のステーは実公昭５５−１４７００号公報に公知である。そこでは、窓側に牽制アームの上端を軸支し、牽制アームの下端に設けたスライドピンを開口枠に設けたガイド枠で上下スライド自在に案内支持している。ガイド枠の内部には、ばねで揺動付勢されたロックレバーが設けてあり、窓を閉じ位置から換気位置まで開き操作すると、ロックレバーがスライドピンの頭部を自動的に係合捕捉して、窓を開閉不能にロック保持する。このロックレバーをロック解除操作するために、ガイド枠に解除つまみが設けてある。解除つまみを横スライド操作して、ロックレバーをロック解除した後、スライドピンをさらに上方スライドさせると、ピン頭部をガイド枠から抜き出して窓を全開放できる。
【０００３】
【発明が解決しようとする課題】
上記のステーは、窓を閉じ位置から換気位置まで単に開き操作するだけで、窓を牽制アームで自動的にロック保持できる。しかし、窓を全開放操作する場合には、窓を換気位置まで開いたうえで、ロックレバーをロック解除操作してスライドピンを上方スライドさせ、さらにピン頭部をガイド溝から抜き出さねばならず、一連の操作が面倒である。つまり、非常時などの混乱した状況下では、窓の全開放操作を迅速に行えない。全開放した窓を閉じる場合には、逆の手順に従って牽制アームをガイド枠に組む必要もある。
【０００４】
ガイド枠の内部に、ガイド溝と直交する向きに揺動するロックレバーや解除つまみを配置するので、装置全体厚み寸法が大きくなるのを避けられず、窓と開口枠の対向間隔が小さい場合に適用できない。また、牽制アームの動きが垂直平面内での姿勢変化に限られるので、例えば一般に多用される揺動窓に適用できない。因みに、牽制アームを、縦軸まわりに屈折可能に連結した一対のアームで構成して、揺動する窓に無理なく追従できるようにしたステーがあるが（実公平５−２０８４５号公報）、この種の牽制アームは、窓が風を受けた場合にがた付きやすい。アーム構造が複雑になり不利も免れない。
【０００５】
本発明の目的は、窓が換気位置を越えて不用意に開放されるのを規制して、幼児などの転落を確実に防止できるうえ、必要時にはスライドノブを切り換え操作するだけで、牽制アームによる開放規制作用を解除して、窓を容易に全開放操作できる窓換気用のステーを提供することにある。
本発明の目的は、風の強さにもよるが、換気に好適な比較的弱い風が吹く程度であれば、窓を換気位置に保持固定でき、従って換気開放時に窓が風を受けて換気位置から全閉位置へ急激に閉鎖するのを防止できる簡易ロック機構を備えた窓換気用のステーを提供することにある。
【０００６】
本発明の目的は、窓を開口枠との間の隙間寸法が小さい場合にも、支障なく適用できるうえ、スライドノブの切り換え操作に伴う、窓側の掛止ピンと開口枠側の牽制アームとの連繋状態の切り換えが、小さな隙間範囲内で確実に行える窓換気用のステーを提供することにある。
本発明の目的は、窓を全閉操作した状態でないと、スライドノブを切り換え操作して牽制アームと掛止ピンとの連繋状態を解除できない、防犯性に優れた窓換気用のステーを提供することにある。
【０００７】
【課題を解決するための手段】
本発明の窓換気用のステーは、図１に示すように、開口枠１に固定されるベース４と、ベース４で往復スライド自在に支持される操作具８と、操作具８で往復スライド操作される牽制アーム６と、牽制アーム６を内外方向へ揺動自在に軸支する支軸５と、窓２の周面に固定した掛止ピン７とを備えている。牽制アーム６の板面には、窓２を閉じた状態において掛止ピン７の進入を許す凹部１５が折り曲げ形成されており、凹部１５に臨む段壁１６から牽制アーム６の揺動先端寄りにわたって、掛止ピン７と係合する連繋溝１７が通設されている。操作具８は、全開位置と換気位置との間で往復スライドできる。全開位置から換気位置への操作具８のスライド変位に連動して、牽制アーム６の連繋溝１７が掛止ピン７と係合できるように構成する。
【０００８】
具体的には、牽制アーム６の一端寄りに、ベース４に固定した支軸５でスライド案内されるスライド溝１３を通設する。操作具８と牽制アーム６とは、これら両者６・８のいずれか一方に固定した係合ピン２４と、他方に設けられて、係合ピン２４に対し相対揺動可能に係合する逃げ溝２３とを介して、同行スライド可能に連結する。
【０００９】
牽制アーム６の連繋溝１７の奥端近傍に、弾性変形可能な係合爪３７（図参照）を備えたロック体３５を設ける。以て、窓２を換気位置へ開放した状態において、掛止ピン７をロック体３５で係合捕捉する。
【００１０】
図３に示すように、牽制アーム６とベース４との間に牽制アーム６を支軸５の軸端受壁３２に向って押し付け付勢するばね２７を、支軸５に外嵌する状態で配置する。軸端受壁３２と摺接するスライド溝１３の両端周縁壁には、第１接当面３３と、第１接当面３３よりベース側へ凹む第２接当面３４とを設ける。以て、操作具８を全開位置に切り換えた状態において、第２接当面３４が軸端受壁３２に接当して、牽制アーム６が開口枠１の側へ接近する向きに傾動できるようにする。
【００１１】
スライド溝１３の一端には、スライド溝１３の溝幅より大径の揺動穴１４を設ける。支軸５のガイド軸部には、スライド溝１３に係合して牽制アーム６を往復スライドのみ可能に案内する平坦なガイド面３０と、揺動穴１４に対して相対回動できる部分円弧状の揺動軸面３１とを設ける。以て、牽制アーム６を操作具８で換気位置にスライド操作した状態においてのみ、牽制アーム６が支軸５を中心にして内外揺動できるようにする。
【００１２】
ベース４に操作具８をスライド案内するガイド溝１０を設ける。操作具８は、ガイド溝１０で係合案内されるスライダー１９と、スライダー１９に固定した操作板２０と、操作板２０の室内側の端部に固定したノブ２１とで構成する。牽制アーム６と対向する操作板２０の板面には、逃げ溝２３を形成してある。
【００１３】
【作用】
操作具８が全開位置にある状態では、窓２に固定した掛止ピン７が凹部１５内に入り込んで、牽制アーム６の板面と掛止ピン７の突端面とは、単に対向しているだけであるので、窓２を閉じ位置から全開放操作できる。この状態から操作具８を換気位置へスライド操作すると、牽制アーム６が操作具８と同行移動するので、連繋溝１７は掛止ピン７と係合する。従って、窓２を開き操作すると、牽制アーム６は支軸５を中心にして窓外方へ同行揺動し、換気位置において、それ以上は窓２が開くのを規制する。従って、操作具８を換気位置に切り換えておけば、いたずらなどによって窓２が開放される場合にも、窓２の開量を換気位置以下に規制して転落などの事故を確実に防止できる。
【００１４】
牽制アーム６の板面に凹部１５を設け、この凹部１５に臨む段壁１６に連繋溝１７の係合始端が開口しているので、牽制アーム６を操作具８でスライド操作するだけの簡単な操作で、封止ピン７を連繋溝１７に対して確実に係脱できる。ステーの構成部品点数も少なくて済む。窓２を全閉した状態でないと、連繋溝１７を掛止ピン７に対して係脱操作できないので、防犯上都合がよい。
【００１５】
支軸５をベース４に固定する場合には、牽制アーム６を介して支軸５に作用する外力をベース４に負担させることができるので、ステーをより強固に構成できる。支軸５と牽制アーム６の相対スライドを許すために、牽制アーム６にスライド溝１３を設ける。牽制アーム６と操作具８の相対揺動を許すために、両者６・８を係合ピン２４と逃げ溝２３を介して同行スライド可能に連結している。
【００１６】
連繋溝１７の奥端近傍にロック体３５を設けたステーにおいては、窓２を換気位置まで開放する際に、掛止ピン７が係合爪３７を乗り越えてロック体３５と係合する。従って、換気に好適な風が吹く程度であれば、窓２を換気位置に保持できるうえ、窓２が風を受けて閉じ位置へ戻されて開口枠１に衝突するのを阻止できる。
【００１７】
牽制アーム６のスライド動作を利用して、牽制アーム６をその板面厚み方向へ傾動変位させるのは、掛止ピン７と連繋溝１７とが相対スライドして係脱することに加えて、牽制アーム６の傾動で連繋溝１７と掛止ピン７とを接近ないしは離反させて、より確実な係合状態とより明確な分離状態とを実現するためである。このように、牽制アーム６を掛止ピン７に対して交差する二方向変位させながら、その連繋溝１７を係脱すると、窓２と開口枠１の間の隙間が小さい場合でも、掛止ピン７と牽制アーム６との連繋状態の切り換えが確実に行える。
【００１８】
支軸５のガイド軸部に、ガイド面３０と揺動軸面３１とを設け、牽制アーム６の側にスライド溝１３と、これより大径の揺動穴１４とを設けるのは、牽制アーム６のスライド操作を確実に行うためであり、さらにスライド途中に牽制アーム６が揺動し始めるのを阻止して、掛止ピン７と連繋溝１７との係合を確実化するためでもある。操作具８をスライダー１９、操作板２０およびノブ２１などで構成すると、各部品の加工を容易化できるうえ、力の掛かる部分とそうではない部分とに応じて、形成素材や部品の剛性を最適化できる。
【００１９】
【実施例】
図２および図３において符号１は開口枠、２はプラスチック製のサッシュで形成した窓である。窓２は開口枠１に固定した上下一対のヒンジ３で揺動開閉自在に支持してある。窓２を閉じた状態においては、図外の錠で窓２を閉じ位置に固定保持できる。窓２を換気位置において開き保持するために、窓２の揺動先端側の窓縦枠と、開口枠１との間に本発明のステーが配設されている。
【００２０】
図３において窓換気用のステーは、開口枠１にビス固定されるベース４と、ベース４に固定した支軸５で開口枠１の内外方向へ揺動自在に支持した牽制アーム６と、窓２の窓縦枠に固定した掛止ピン７と、牽制アーム６を上下にスライド操作する操作具８などで構成する。
【００２１】
ベース４は一側に断面Ｌ字状のガイド溝１０を設け、他側に板状壁１１を設けた金属製の押し出し材からなり、板状壁１１の上下２個所をビスで締結して開口枠１に固定する。板状壁１１の側端にはガイドリブ１２を突設する。このベース４に操作具８や牽制アーム６などを一体的に組み付ける。
【００２２】
牽制アーム６は、ステンレス板材製のプレス成形品からなり、その上端寄りの板面に支軸５でスライド案内されるスライド溝１３を設け、スライド溝１３の下端に、スライド溝の溝幅より大径の揺動穴１４を設ける。牽制アーム６の上半側は一定幅に形成するが、下半側は上半側より広幅に形成し、さらに下すぼまり状に形成する。上半部と下半部との間に、掛止ピン７用の凹部１５を折り曲げ形成し、凹部１５に臨む段壁１６からアーム下端寄りにわたって掛止ピン７と係合する連繋溝１７を通設する。段壁１６側の溝１７ａは、掛止ピン７の突端のフランジ部直径より僅かに広幅に形成し、他の溝部分は掛止ピン７の軸部径より僅かに広幅に形成する。連繋溝１７が形成されるアーム下部は、図８に示すごとく凹部１５の凹み方向と同じ向きに僅かに折り曲げてある。その理由は後述する。
【００２３】
操作具８は、ガイド溝１０に挿嵌されて上下スライド自在に係合案内されるスライダー１９と、ピンを介してスライダー１９にかしめ固定される操作板２０と、操作板２０の室内側の端部に固定されるノブ２１とで構成する。スライダー１９は断面工字状のスライド部を有し、その上端にカバー壁２２を突設したプラスチック成形品からなる。操作板２０はステンレス板を階段状に折り曲げたプレス成形品からなり、その室外側の端部板面に牽制アーム６を同行スライド操作する逃げ溝２３を設ける。この逃げ溝２３は牽制アーム６に固定した係合ピン２４と係合する。後述するように、牽制アーム６と係合ピン２４とは支軸５を中心にして内外に揺動する。この動きを許すために、逃げ溝２３は係合ピン２４の揺動軌跡に対応して部分円弧状に形成する。逃げ溝２３が形成される操作板２０の板面下縁にはベース４の板状壁１１と接当する脚壁２５が一体に折り曲げてある。
【００２４】
操作具８をベース４のガイド溝１０に組んだ後、係合ピン２４が逃げ溝２３と係合する状態下で、牽制アーム６のスライド溝１３に挿通した支軸５をベース４にかしめ固定して、ベース４、牽制アーム６および操作具８を一体に組む。このとき、図７に示すごとく支軸５に外嵌した平座金２６とばね２７とで、牽制アーム６をベース４から離れる向きに移動付勢する。この状態での操作具８は、下方の全開位置と上方の換気位置との間で上下スライドして、同じスライドストローク分だけ、牽制アーム６を同行移動させる。牽制アーム６が全開位置にあるとき（図４に示す状態）、窓２に固定した掛止ピン７は凹部１５内を内外方向へ出入りできる。従って、窓２は全閉状態から直接全開放操作できる。操作具８を全開位置から上方スライド操作すると、牽制アーム６が同行スライドする。その結果、図５に示すごとく連繋溝１７の上部が掛止ピン７に外嵌して、両者７・１７は互いに係合する。
【００２５】
牽制アーム６が換気位置へ上方スライドし終わった図５の状態でのみ、牽制アーム６を内外方向へ揺動させるために、支軸５のガイド軸部を断面太鼓形に形成する。軸端にはガイド軸部より大径のフランジ（軸端受壁）３２を設ける。先に説明したように、支軸５で支持される牽制アーム６側の穴は、スライド溝１３と揺動穴１４とで、鍵穴を上下に反転した形状に形成されている。これらの溝１３および揺動穴１４に対応して、ガイド軸部を揺動穴１４に対応する丸軸状に形成したうえで、図６に示すようにその対向周面の２個所に一対の平坦面なガイド面３０を形成し、これらのガイド面３０でスライド溝１３を案内する。またガイド面３０以外の部分円弧状の軸面を揺動軸面３１にして、これで揺動穴１４を相対揺動自在に軸支する。
【００２６】
牽制アーム６を上方スライドする際に、連繋溝１７を掛止ピン７に対してさらに確実に係合させるために、牽制アーム６の上下スライド動作を利用して、アーム全体をアーム厚み方向へ傾動できる。詳しくは図３に示すごとく上下スライド時に支軸５のフランジ３２と摺接するスライド溝１３の両端周縁壁に、アーム板面より外面側へ膨出する第１接当面３３と、アーム板面よりベース４の側へ凹む第２接当面３４とを設ける。第１接当面３３はスライド溝１３の下端側に、第２接当面３４はスライド溝１３の上端側にそれぞれ設ける。
【００２７】
先に説明したように牽制アーム６は、ばね２７で平座金２６を介してフランジ３２の側へ付勢してある。そのため、牽制アーム６が全開位置にあり、第２接当面３４がフランジ３２と接当する状態においては、図８（ｂ）に示すようにアーム下半側が開口枠１と接近するように傾動している。この状態から牽制アーム６を図８（ａ）に示すように上方スライドすると、アーム板面より膨出する第１接当面３３がフランジ３２で受け止められるので、アーム全体はその下半側が開口枠１から離れる向きに傾動し、アーム下半部が窓２に接当する。このときの傾動角をより大きく確保するために、アーム下部を凹部１５の凹み方向と同じ向きに傾斜させてある。
【００２８】
窓２を換気開放した図１の状態において、牽制アーム６は支軸５まわりに揺動して、連繋溝１７の奥端が掛止ピン７に外接している。この状態で窓２の開閉抵抗を越える風圧が窓面に作用すると、窓２は閉じ揺動する。しかし、換気時には風を導入することで、室内の空気を効果的に換気できる。そのために、連繋溝１７の奥端近傍にロック体３５を設け、このロック体３５で掛止ピン７を係合保持することにより、換気に好適な風が吹く程度では、窓２を風圧に抗して換気位置に保持できるようにしている。
【００２９】
図３に示すようにロック体３５は、取付部３６と、弾性変形可能な係合爪３７とを一体に形成したプラスチック成形品からなる。取付部３６はピンでアーム下端にかしめ固定して牽制アーム６と一体化する。この取り付け状態において、係合爪３７の爪片３８は連繋溝１７の開口縁に臨んでいる。従って、掛止ピン７が換気位置へ相対スライドするとき、そのフランジの周縁は爪片３８と接当して、係合爪３７を弾性変形させながら爪片３８を乗り越えて、連繋溝１７の奥端面と爪片３８とで保持される。
【００３０】
上記の実施例以外に、ステーは次のような形態で実施することができる。係合ピン２４を操作板２０に設け、逃げ溝２３を牽制アーム６に設ける。ロック体３５に一対の係合爪３７を設けて、これら係合爪３７で掛止ピン７を抱持状に係合保持する。第１接当面３３と第２接当面３４に代えて、スライド溝１３の周縁壁を溝下端側から溝上端側へ向って下り傾斜させる。支軸５のガイド面３０は、必ずしも一対設ける必要はなく、軸部が非円形断面となるよう一個に設けてあれば足りる。本発明のステーは、窓２の上下面と開口枠１との間に配置して使用できる。また窓２が滑り出し型の窓や回転窓型の窓である場合にも支障なく適用できる。
【００３１】
【発明の効果】
本発明のステーによれば、操作具８を換気位置へスライド操作しておくだけで、窓２が換気位置を越えて不用意に開放されるのを規制できるので、いたずらなどによって窓２が開き操作される場合でも、窓２の開量を制限して幼児などの転落を確実に防止できる。また、必要時には、操作具８を逆向きにスライドするだけで、牽制アーム６と掛止ピン７の連繋状態を解除して、窓２を閉じ位置から全開放操作できるので、緊急時などの窓２の開放を簡単にしかも迅速に行える。牽制アーム６にロック体３５を設けたステーによれば、ある程度強い風が吹く状態でない限りは、窓２を換気位置に保持し続けることができるので、換気時に風を室内へ取り入れて効率よく換気を行える。
【図面の簡単な説明】
【図１】ステーの側面図である。
【図２】ステーの平面図である。
【図３】ステーの分解斜視図である。
【図４】アームロックを全開位置に操作した状態での一部破断側面図である。
【図５】アームロックを換気位置に操作した状態での一部破断側面図である。
【図６】牽制アームの軸支構造を示す一部破断側面図である。
【図７】図５におけるＡ−Ａ線断面図である。
【図８】牽制アームのスライド変位に伴う傾動動作を示す縦断面図である。
【符号の説明】
１  開口枠
２  窓
４  ベース
５  支軸
６  牽制アーム
７  掛止ピン
８  操作具
１３  スライド溝
１５  凹部
１６  段壁
１７  連繋溝
２３  逃げ溝
２４  係合ピン
【図１】
0004098888.tif 000002
【図２】
0004098888.tif 000003
【図３】
0004098888.tif 000004
【図４】
0004098888.tif 000005
【図５】
0004098888.tif 000006
【図６】
0004098888.tif 000007
【図７】
0004098888.tif 000008
【図８】
0004098888.tif 000009